【手続補正書】
【提出日】平成14年12月10日(2002.12.10)
【手続補正１】
【補正対象書類名】明細書
【補正対象項目名】全文
【補正方法】変更
【補正の内容】
【書類名】明細書
【発明の名称】表示装置及び陰極線管
【特許請求の範囲】
【請求項１】インライン型の電子銃を有する陰極線管と、偏向ユニットと、表示スクリーンとを具える表示装置であって、前記電子銃が、主レンズ電界を発生する主レンズ部分と、プレフォーカスレンズ部分とを有し、このプレフォーカスレンズ部分は、プレフォーカスレンズ電界を発生させるために、電子ビームの進行方向で見て、第１、第２及び第３電極を有し、これら電極には、電子ビームを通すためのアパーチュアが設けられており、前記偏向ユニットは、電子ビームを表示スクリーンにまたがって偏向させるように構成されている当該表示装置において、
前記電子銃は、プレフォーカスレンズ電界と主レンズ電界との間に補助レンズ電界を発生させる手段を有し、これにより、動作中、補助レンズ電界の強度により、電子ビームがインライン平面に対しほぼ平行な状態で主レンズを通り抜けるようにし、陽極側での主レンズのギャップにおける電子ビームの直径が、表示スクリーンにまたがる電子ビームの偏向全体に亙り第２電極のアパーチュアの直径よりも小さくなるか、この第２電極のアパーチュアの直径にほぼ等しくなるようにしたことを特徴とする表示装置。
【請求項２】請求項１に記載の表示装置において、補助レンズ電界を発生させる前記手段は、前記主レンズ部分中に第１の四重極電界を、且つ前記プレフォーカスレンズ部分中に第２の四重極電界をそれぞれ発生させるようになっていることを特徴とする表示装置。
【請求項３】請求項２に記載の表示装置において、プレフォーカスレンズ電界を発生させる前記電極及び第２の四重極電界を発生させる前記手段は、動作中、前記第２の四重極電界を発生させるための１つのみのプレフォーカスレンズ電界及び２つの四重極電界がプレフォーカスレンズ部分内に発生されるように構成されていることを特徴とする表示装置。
【請求項４】請求項３に記載の表示装置において、前記インライン型の電子銃が更に、第４電極、第５電極、第６電極及び第７電極を有し、これら電極は電子ビームを通すアパーチュアを有し、表示装置が、前記第３、第５及び第７電極に定電圧を印加する手段を有していることを特徴とする表示装置。
【請求項５】請求項１に記載の表示装置において、補助レンズ電界を発生させる前記手段は、前記主レンズ部分に非点収差レンズ電界を発生させるように構成され、これにより、インライン平面に対し垂直な方向の非点収差レンズ電界の強度がインライン平面内の非点収差レンズ電界の強度よりも強くなるようにしたことを特徴とする表示装置。
【請求項６】請求項５に記載の表示装置において、補助レンズ電界を発生させる前記手段は、前記プレフォーカスレンズ部分に非点収差レンズ電界を発生させるように構成され、これにより、インライン平面に対し垂直な方向の非点収差レンズ電界の強度がインライン平面内の非点収差レンズ電界の強度よりも強くなるようにしたことを特徴とする表示装置。
【請求項７】請求項５に記載の表示装置において、前記インライン型の電子銃が、電子ビームの進行方向で見て、第４電極、第５電極、第６電極及び第７電極を有し、これら電極は、電子ビームを通すためのアパーチュアを有し、表示装置は、第２及び第４電極に第１定電圧を印加し、第３及び第５電極に第２定電圧を印加し、第６電極に第３定電圧を印加する手段を有していることを特徴とする表示装置。
【請求項８】請求項１〜７のいずれか一項に記載した表示装置に用いる陰極線管。
【発明の詳細な説明】
【０００１】
本発明は、インライン型の電子銃を有する陰極線管と、偏向ユニットと、表示スクリーンとを具える表示装置であって、前記電子銃が、主レンズ電界を発生する主レンズ部分と、プレフォーカスレンズ部分とを有し、このプレフォーカスレンズ部分は、プレフォーカスレンズ電界を発生させるために、電子ビームの進行方向で見て、第１、第２及び第３電極を有し、これら電極には、電子ビームを通すためのアパーチュアが設けられており、前記偏向ユニットは、電子ビームを表示スクリーンにまたがって偏向させるように構成されている当該表示装置に関するものである。
本発明は更に、表示装置に用いるのに適した陰極線管にも関するものである。
このような表示装置は特に、テレビジョンディスプレイ及びコンピュータモニタに用いられている。
【０００２】
頭書に述べた種類の表示装置は、欧州特許出願公開第５０９５９０号明細書に記載されており、既知である。この表示装置には、インライン型の電子銃と、偏向ユニットとが設けられている。電子銃は、主レンズ電界及び第１の四重極電界を発生する手段を有する主レンズ部分を具えている。動作中、これら電界の強度は動的に変化させられる。これにより、偏向の関数としての電子ビームの非点収差及びフォーカシング（焦点合わせ）を制御し、偏向により生ぜしめられる非点収差が少なくとも部分的に補償されるとともに電子ビームが表示スクリーン全体に亙りほぼ合焦状態になるようにしている。電子銃は、プレフォーカスレンズ電界及び他の四重極電界を発生する手段を有するプレフォーカスレンズ部分を具えている。この既知の表示装置では、前記電界の強度が動作中に制御され、ビーム角を垂直方向で減少させるダイナミックレンズがプレフォーカスレンズ部分内に形成されるようになっている。この既知の表示装置では、四重極電界を動的に発生させる前記手段にダイナミック（可変）電圧が印加される。
【０００３】
表示スクリーンの外側に実際上平坦な表面を有する従来技術による表示装置では、特に表示スクリーンのエッジ部に画像妨害が生じるおそれがある。例えば、文字が表示スクリーンの隅部に接近して再生されると、これらの文字は明瞭とならなくなるおそれがある。
【０００４】
本発明の目的は、画質を改善した表示装置を提供せんとするにある。この目的は、請求項１に規定した本発明による表示装置により達成される。本発明は、特に、補助電界を発生させ、その強度を適切に定め、電子ビームの軌道がほぼ平行に主レンズを通り抜け、インライン平面に対し垂直な方向の電子ビームの直径がインライン平面に対し平行な方向の電子ビームの直径に比べて著しく小さく、インライン平面に対し垂直な方向の電子ビームの軌道が主レンズの主軸とほぼ一致するようにするという認識を基に成したものである。従って、主レンズの影響は実質的にゼロであり、スポットは、電子ビームの偏向中スクリーン上のあらゆる個所で合焦状態となる。更に、インライン平面に対し垂直な方向での表示スクリーン上のスポット寸法は表示スクリーンの中心においても隅部においてもほぼ均一である。その結果、画質が改善される。既知の表示装置では、外側の電子ビームが、インライン平面に対し垂直な方向で比較的大きな直径をもって主レンズを通過し、主レンズによる電子ビームの球面収差が大きくなり、電子ビームが表示スクリーンの隅部で焦点はずれとなる。
【０００５】
既知の表示装置では、プレフォーカスレンズの正レンズ効果の増大と、インライン平面に対し垂直な方向での第２のダイナミック四重極電界の収束効果とが、主レンズに入る電子ビームのビーム角を減少させ、第１の四重極電界の負レンズ効果の増大と、主レンズの正レンズ効果の減少とが、表示スクリーンの隅部と中心とにおける電子ビームの合焦を維持している。
【０００６】
本発明による他の利点は、静的な（固定の）補助電界を与える為に、ダイナミック補助電界を発生させるダイナミック電圧がもはや必要としなくなるということである。
【０００７】
本明細書で、水平とはインライン平面に対し平行な方向を意味し、垂直とはインライン平面を直交する方向を意味するものとする。更に、四重極電界が電子ビームの形状を調整する。四重極電界は電子ビームの寸法を一方向で減少させるとともに、電子ビームの寸法をこの方向に対し直角な方向で増大させる。
【０００８】
非点収差レンズ電界は、電子ビームの寸法が水平方向及び垂直方向で減少するが、垂直方向の減少が水平方向の減少よりも大きくなるように、電子ビームの形状を変更させる。
【０００９】
プレフォーカスレンズ電界は、電子ビームの寸法をあらゆる方向でほぼ同程度に変える、すなわち、増大又は減少させる。
【００１０】
本発明による表示装置の特定例は、請求項２に規定してある。補助電界を得る一方法は、第１の四重極電界を主レンズ部分に与え、第２の四重極電界をプレフォーカスレンズ部分に与えることである。この設計では、異なるグリッド上の固定電位によりこれら四重極電界を形成しうる。この設計の利点は、電子銃を最適化する多くの自由度が得られるということである。
【００１１】
本発明による表示装置の他の例は請求項５に規定してある。補助レンズ電界を得る他の方法は、プレフォーカスレンズ部分に非点収差レンズ電界を与えることである。表示装置のこの設計では、数個のみのグリッドを有する比較的簡単な電子銃で足りる。
【００１２】
本発明による表示装置の他の有利な例は他の請求項に規定してある。
【００１３】
上述した本発明の観点及びその他の観点は、以下の実施例に関する説明から明らかとなるであろう。
図１に示す表示装置は、陰極線管、本例では、カラー表示管１を有し、このカラー表示管は表示窓３と、コーン部４と、ネック部５とより成る排気されたエンベロープ２を有する。ネック部５は、１平面、この場合図面の平面であるインライン平面内に延在する３つの電子ビーム７、８及び９を発生させる電子銃６を収容している。表示窓３の内側には表示スクリーン１０が設けられている。この表示スクリーン１０は、赤、緑及び青で発光する多数の蛍光体素子を有している。電子ビーム７、８及び９は、表示スクリーン１０に向かう途中で、偏向ユニット１１により表示スクリーン１０に亙って偏向される。これら電子ビームは、表示窓３の前方に配置され且つ孔１３があけられた薄肉プレートを有する色選択電極１２を通過する。この色選択電極１２は、懸垂手段１４により表示窓内で懸垂されている。３つの電子ビーム７、８及び９は、互いに僅かな角度を成して色選択電極の孔１３を通過する。従って、各電子ビームは一色のみの蛍光体素子に衝突する。表示装置は更に、動作中電子銃の構成素子に印加される電圧を発生する手段１５を有する。
【００１４】
図２は、本発明による表示装置の陰極線管に用いるのに適した電子銃の第１例の断面図である。この電子銃６は３つの陰極２１、２２及び２３を有する。この電子銃は更に、第１共通電極２４（Ｇ１）と、第２共通電極２５（Ｇ２）と、第３共通電極２６（Ｇ３）と、第４共通電極２７（Ｇ４１）と、第５共通電極２８（Ｇ４２）、第６共通電極２９（Ｇ４３）と、第７共通電極３０（Ｇ４４）と、第８共通電極３１（Ｇ５）とを有する。電極３１（Ｇ５）及び３０（Ｇ４４）は動作中、これら電極３０及び３１間の空間３２内に形成される主レンズ電界を発生するための、電子銃の主レンズ部分における電子光学素子を形成する。或いはまた、この主レンズ部分は、分布構成主レンズ電界（ＤＣＦＬ）により形成しうる。
【００１５】
更に、電極２５（Ｇ２）におけるアパーチュア２５１、２５２及び２５３は、本例では、電極２６（Ｇ３）のアパーチュア２６１、２６２及び２６３のように丸くする。動作中は、電極２５及び２６間に回転対称のプレフォーカスレンズが形成される。
【００１６】
電極は、電圧が印加される接続ラインを有する。表示装置は、前記電圧発生手段１５で発生される電圧が印加されるリード線（図示せず）を有する。陰極と電極２４及び２５とが、電子銃のいわゆる三極管部分を構成する。電極２５（Ｇ２）及び２６（Ｇ３）は、ほぼ空間３６内に第１プレフォーカス電界を発生させるための、電子銃のプレフォーカスレンズ部分における電子光学素子を形成する。
【００１７】
特に、偏向角が大きく（例えば、１１０°以上）、実際上平坦な表示スクリーンを有するカラー陰極線管の場合には、スポットが表示スクリーン全体に亙って均一にならない為、悪影響が生じるおそれがある。
【００１８】
スクリーンにまたがる電子ビームの偏向中におけるスポットの不均一性を改善するために、電極３０（Ｇ４４）及び２９（Ｇ４３）により、動作中これら電極３０及び２９間で空間３３に発生させる補助電界、本例では第１の四重極電界を発生させるための、電子銃の主レンズ部分における電子光学素子を形成する。
【００１９】
更に、電極２７（Ｇ４１）、２８（Ｇ４２）及び２９（Ｇ４３）は、電極２７（Ｇ４１）及び２８（Ｇ４２）間で空間３４内に第１の他の補助電界、本例では第２の四重極電界を発生させるための、電子銃のプレフォーカスレンズ部分における電子光学素子を形成する。電極２７（Ｇ３２）及び２６（Ｇ３１）は、これら電極２６及び２７間で空間３５内に第２の他の補助電界、本例では第３の四重極電界を発生させるための、電子銃のプレフォーカスレンズ部分における電子光学素子を形成する。電極は全て、電子ビームを通すアパーチュアを有する。本例では、アパーチュア２８１、２８２及び２８３は、アパーチュア２８４、２８５及び２８６と同様に方形である。このことを、これらのアパーチュアの側方の方形ブロックで線図的に示してある。アパーチュア２７１、２７２及び２７３と、アパーチュア２７４、２７５及び２７６と、アパーチュア２７７、２７８及び２７９とも、これらアパーチュアの側方に線図的に示してあるように方形の形状をしている。アパーチュア２６４、２６５及び２６６も、これらアパーチュアの側方の方形で線図的に示してあるように方形の形状をしている。
【００２０】
動作に当っては、電位ＶＤＹＮ が電極３０（Ｇ４４）、２８（Ｇ４２）及び２６（Ｇ３）に印加される。この電位ＶＤＹＮ は、例えば６９００Ｖである。更に、陽極とも称する電極３１（Ｇ５）には、約２５ｋＶ〜３０ｋＶの電位ＶＧ５が印加される。電子ビームは表示スクリーン１０にまたがって偏向ユニット１１により偏向される。偏向電磁界は集束効果をも有し、非点収差を生ぜしめる。この効果は電子の偏向角により左右される。アパーチュアは、電極３０（Ｇ４４）に印加される電位が水平方向でビーム寸法に及ぼす影響と、主レンズにおいてビーム寸法に及ぼされる影響とが逆になり、第１の四重極電界において水平方向でビーム寸法に及ぼされる影響が水平方向で実際に正レンズの作用（収斂レンズ作用）を生ぜしめるように選択する。更に、垂直方向では、主レンズ電界と第１の四重極電界とのレンズ作用が互いに増強しあい、第２の四重極電界及び第３の四重極電界のレンズ作用と相俟って、電子ビームがインライン平面に対しほぼ平行な状態で主レンズを通り抜けるようにし、これにより主レンズの電極３１（Ｇ５）のアパーチュアにおける電子ビームの直径を、表示スクリーン１０にまたがる電子ビームの偏向の全体に亙り第２電極２５（Ｇ２）のアパーチュア２５１、２５２、２５３の直径以下となるようにする。電子ビーム７、８、９の直径は陽極電流に応じて変化することに注意すべきである。陽極電流が１ｍＡ程度の小さな電流である場合には、電子銃６の電極３１（Ｇ５）のアパーチュアにおける垂直方向の電子ビームの直径は第２電極Ｇ２のアパーチュアよりも小さくなる。しかし、陽極電流が大きい、すなわち、３ｍＡよりも大きい場合には、電子銃の陽極側における主レンズのギャップにおける垂直方向の直径は、第２電極Ｇ２のアパーチュアよりも大きくなる。実際には、公称ビーム電流が約２ｍＡである場合、電子銃の陽極側の主レンズのギャップにおける垂直方向の直径は、第２電極Ｇ２のアパーチュアに等しくなる。
【００２１】
以下の表１及び表２は、ビーム電流をそれぞれ０．５ｍＡ及び２．０ｍＡとした際に電極２６（Ｇ３）及び２８（Ｇ４２）に印加される電位ＶＤＹＮ の関数として、表示スクリーン上での電子ビームのｘ方向（ｘ）及びｙ方向（ｙ）のビーム角の半分を示す。本例では、
‐電極２５（Ｇ２）のアパーチュア２５１、２５２、２５３の直径
：０．５８０ ｍｍ
‐電極２６（Ｇ３）のアパーチュア２６１、２６２、２６３の直径
：２．０００ （ｘ）・４．０００ （ｙ）ｍｍ
‐アパーチュア２６４、２６５及び２６６：４（ｘ）・０．９ （ｙ）ｍｍ
‐アパーチュア２７１、２７２及び２７３：４．５ （ｘ）・１．８ （ｙ）ｍｍ
‐アパーチュア２７４、２７５及び２７６：１．８ （ｘ）・４．５ （ｙ）ｍｍ
‐アパーチュア２７７、２７８及び２７９：４．５ （ｘ）・１．８ （ｙ）ｍｍ
‐アパーチュア２８１、２８２及び２８３：２．９５（ｘ）・７．０ （ｙ）ｍｍ
‐アパーチュア２８４、２８５及び２８６：４．８ （ｘ）・２．９５（ｙ）ｍｍ
を満足させる。ここで、電極２５（Ｇ２）に印加される電位ＶＧ２は約７００ボルトであり、電極２７（Ｇ４１）及び２９（Ｇ４３）に印加される電位Ｖｆｏｃｕｓ は約５４００ボルトである。
【表１】
2004516635.tif 000001
【表２】
2004516635.tif 000002
【００２２】
表示スクリーン上でのある方向（本例では、ｘ又はｙ方向）のビーム断面寸法はこの方向でのビーム角により以下のようにして決定される。ビーム角とは、電子ビームが主レンズに入射する角度（α）である。主レンズに対しては、ヘルムホルツ‐ラグランジュの積（ＨＬ）は一次近似で一定であり、この積は次式で表わされる。
【数１】
2004516635.tif 000003
ここに、Ｂは関連の方向でのビーム断面を表わし、Ｖは陽極に印加される電圧を表わす。ビーム断面は、ビーム角が減少するにつれて増大する。表１及び表２に示すように、電極２６（Ｇ３）、２８（Ｇ４２）及び３０（Ｇ４４）に印加する電位ＶＤＹＮ を変えることにより、ビーム角、従って、垂直（ｙ）方向でのビーム断面や、ビーム角、従って、水平（ｘ）方向でのビーム断面をかなり変えることができる。電極２５（Ｇ２）のアパーチュアの直径に等しい直径を有する電子ビームを得るためには、電位ＶＤＹＮ を６９００Ｖに設定する。
【００２３】
本例では、四重極電界を、四角形のアパーチュアを有する２つの電極間に発生させる。これらのアパーチュアはこれに変え楕円形、細長状又は多角形にすることもできる。
【００２４】
四重極電界は他の方法で、例えば、電子ビームを通すアパーチュアにおける互いに対向して位置するエッジを起立させることにより発生させることができる。
【００２５】
動作中、第１の四重極電界を、電子ビームの進行方向で見て主レンズの前方又は後方に位置させることができ、又は主レンズ内に一体化することができる。
【００２６】
プレフォーカス電界や四重極電界を発生させる手段は、上述した例におけるように、１つのみの電圧で励起されうるように構成するのが有利である。この例では、電圧を共通電極Ｇ３に印加する。
【００２７】
第２の四重極電界及び第３の四重極電界を改善するために、プレート電極２６（Ｇ３）を、アパーチュア２６１、２６２、２６３と、アパーチュア２６１´、２６２´、２６３´とをあけたバス電極２６と置き換えることもできる。
【００２８】
電極２８（Ｇ３）を省略し、電極２７（Ｇ４１）及び２９（Ｇ４３）である程度のビーム遮断を生ぜしめうるこれら電極２７（Ｇ４１）及び２９（Ｇ４３）によってのみ第２の四重極電界を発生させるようにすることもできる。更に、第２の四重極電界を高めるには、電極２７及び２９にアパーチュア２７１、２７２、２７３及び２７７、２７８、２７９をあけ、互いに対向して位置するエッジを起立させることができる。
【００２９】
図３は、本発明による陰極線管及び表示装置に用いるのに適した電子銃の第２の例を示す断面図である。電子銃６は３つの陰極４１、４２、４３を有する。この電子銃は更に、第１共通電極４４（Ｇ１）と、第２共通電極４５（Ｇ２）と、第３共通電極４６（Ｇ３１）と、第４共通電極４７（Ｇ３２）と、第５共通電極４８（Ｇ３３）と、第６共通電極４９（Ｇ３４）と、第７共通電極５０（Ｇ４）とを有する。電極４８（Ｇ３３）、４９（Ｇ３４）及び５０（Ｇ４）は、空間５１及び５２内に分布構成主レンズ電界（ＤＣＦＬ）を形成する。電極は、電圧が印加される接続ラインを有する。表示装置は、電圧発生手段１５で発生される電圧が印加されるようにするリード線（図示せず）を有する。
【００３０】
電極４６（Ｇ３１）、４７（Ｇ３２）及び４８（Ｇ３３）は電子銃の主レンズ部分内に、補助電界、本例では非点収差レンズ電界を発生させるための電子光学素子を形成する。この電界は、主レンズの陽極側でそれぞれの電極４６、４７、４８（Ｇ３１、Ｇ３２、Ｇ３３）間で空間５３、５４内に発生させ、これによりインライン平面に対し垂直な方向の非点収差レンズ電界の強度をインライン平面内の非点収差レンズ電界の強度よりも強くする。陰極４１、４２、４３と、電極４４（Ｇ１）及び４５（Ｇ２）とが、電子銃の、いわゆる、３極管部分を構成する。アパーチュア４５０、４５１、４５２が設けられた電極４５（Ｇ２）と、電極４６（Ｇ３）とは、空間５５内に補助電界、本例では、他の非点収差レンズ電界を発生させるために、電子銃のプレフォーカスレンズ部分内で電子光学素子を構成する。電極は全て、電子ビームを通すためのアパーチュアを有している。本例では、アパーチュア４５９、４６０、４６１はアパーチュア４６２、４６３、４６４及びアパーチュア４６５、４６６、４６７と同様に方形である。このことを、これらのアパーチュアの側方の方形ブロックで線図的に示してある。アパーチュア４５３、４５４及び４５５や、アパーチュア４５６、４５７及び４５８もこれらのアパーチュアの側方に線図的に示すように方形の形状である。
【００３１】
動作中、電極４５（Ｇ２）、４７（Ｇ３２）に電位ＶＧ２が印加される。非点収差レンズ電界の強度は、電極４６（Ｇ３１）のアパーチュア４５９、４６０、４６１と、電極４７（Ｇ３２）のアパーチュア４６２、４６３、４６４と、電極４８（Ｇ３３）のアパーチュア４６５、４６６、４６７とのそれぞれの形状により決定される。表示スクリーンにまたがる電子ビームの偏向中のスポット寸法を均一にするために、それぞれの電極４６、４７、４８に印加される電位Ｖｆｏｃ 及びＶＧ２やアパーチュアの形状を適切に選択し、垂直方向において非点収差レンズ電界及び他の非点収差レンズ電界のレンズ作用が互いに増強しあい、電子ビームがインライン平面に対しほぼ平行な状態で主レンズを通り抜けるようにし、これにより陽極側における主レンズの電極５０（Ｇ４）のアパーチュアにおける電子ビームの直径を、表示スクリーン１０にまたがる電子ビームの偏向の全体に亙り第２電極４５（Ｇ２）のアパーチュア４５３、４５４、４５５の直径以下となるようにする。
【００３２】
本例では、
‐電極４４（Ｇ１）のアパーチュアの直径
：０．５７５ （ｘ）・０．３７６ （ｙ）ｍｍ
‐電極４５（Ｇ２ａ）のアパーチュアの直径
：０．５８０ ｍｍ
‐電極４５（Ｇ２ｂ）のアパーチュアの直径
：０．５２０ （ｘ）・０．５２０ （ｙ）ｍｍ
‐電極４６（Ｇ３１ａ）のアパーチュアの直径
：０．５００ （ｘ）・０．５００ （ｙ）ｍｍ
‐電極４６（Ｇ３１ｂ）のアパーチュアの直径
：４．７５０ （ｘ）・６．０００ （ｙ）ｍｍ
‐アパーチュア４６２、４６３及び４６４
：５．０００ （ｘ）・５．５００ （ｙ）ｍｍ
‐アパーチュア４６５、４６６及び４６７
：４．７５０ （ｘ）・６．０００ （ｙ）ｍｍ
を満足させる。
【００３３】
電極４６（Ｇ３１）及び４８（Ｇ３３）に印加する電位は８０００Ｖである。電位ＶＧ２は、例えば８００Ｖとする。電極４９に印加する電位Ｖｉ は１５ｋＶとし、電極５０に対し印加する電位ＶＧ４は陽極電位３０ｋＶとする。垂直方向での電子ビームの直径をこのように小さくすると、電子ビームは、その偏向中にスクリーン上のあらゆる個所で、すなわち、スクリーンの中心及び隅部の双方で合焦状態となる。
【００３４】
図４は、図３につき説明した電子銃の仮想結果を示す。
【００３５】
図４の上部は、本発明による電子銃における電子ビームの垂直方向の断面である。それぞれの電極Ｇ１、Ｇ２、Ｇ３１、Ｇ３２、Ｇ３３、Ｇ３４及びＧ４の電位や、電極のアパーチュアの寸法は、電子ビームがインライン平面に対しほぼ平行に主レンズを通り抜け、陽極側での主レンズの電極５０（Ｇ４）のアパーチュア内での電子ビームの直径Ｄ２が、表示スクリーン１０にまたがる電子ビームの偏向全体に亙り第２電極４５（Ｇ２）のアパーチュア４５３、４５４及び４５５の直径Ｄ１以下となるように設定する。
【００３６】
図４の下部は水平方向の電子ビームの形状を示す。図４は、電子銃中のそれぞれの電極Ｇ１、Ｇ２、Ｇ３１、Ｇ３２、Ｇ３３、Ｇ３４及びＧ４の位置を示し、水平方向の電子ビームの直径は、垂直方向の電子ビームの直径よりも著しく大きい。
本発明は、本発明の範囲内で種々に変更しうること明らかである。
【図面の簡単な説明】
【図１】表示装置の断面図である。
【図２】表示装置用の陰極線管に用いるのに適した電子銃の第１例の断面図である。
【図３】表示装置用の陰極線管に用いるのに適した電子銃の第２例の断面図である。
【図４】表示装置の垂直方向及び水平方向における表示装置のビーム断面の仮想結果を示す。


【手続補正２】
【補正対象書類名】図面
【補正対象項目名】図２
【補正方法】変更
【補正の内容】
【図２】
2004516635.tif 000004
【手続補正３】
【補正対象書類名】図面
【補正対象項目名】図３
【補正方法】変更
【補正の内容】
【図３】
2004516635.tif 000005